(57)【要約】【課題】操作性を確保しつつ、付加部材の取り付け強度を確保することができるスイッチ装置を提供する。【解決手段】スイッチ装置１０は、スイッチユニットへ入力操作を伝達する操作ノブ１４と、スイッチユニットを収容するハウジング１３とを備え、ハウジング１３は、スイッチユニットと操作ノブ１４を対向させる開口部１５と、該開口部１５を囲むように立設される被水壁１６とを有し、操作ノブ１４は、筐体状のベース部材１８と、ベース部材１８に取り付けられる加飾部材１９とを有し、加飾部材１９は突出する一対の挿入部２３を有し、ベース部材１８は被水壁１６を収容し、ベース部材１８の２つの貫通穴２５へ挿入される各挿入部２３は被水壁１６の立設方向（Ｚ１方向）と交差するように延在する。【選択図】図４
2020145109.tif 000002
【特許請求の範囲】
【請求項１】
電気的接点を有するスイッチユニットへ入力操作を伝達する操作ノブと、前記スイッチユニットを収容するハウジングとを備え、
前記ハウジングは、前記スイッチユニットと前記操作ノブを対向させる開口部と、該開口部を囲むように立設される被水壁とを有し、
前記操作ノブは、一端が開口する筐体状のベース部材と、前記ベース部材に取り付けられる付加部材とを有し、
前記付加部材は突出する少なくとも１つの挿入部を有し、
前記ベース部材は、前記挿入部が挿入される貫通穴を有するとともに、前記被水壁を収容し、
前記挿入部は前記被水壁の立設方向と交差するように延在し、且つ前記被水壁の立設方向に沿って眺めた場合、前記挿入部と前記開口部が離れていることを特徴とするスイッチ装置。
【請求項２】
前記被水壁の立設方向に沿って眺めた場合、前記挿入部の少なくとも一部が前記被水壁と重なることを特徴とする請求項１記載のスイッチ装置。
【請求項３】
前記ベース部材は、前記貫通穴から前記ベース部材の側壁の内側に沿うように配置されるとともに、前記一端へ向けて延伸するリブを有することを特徴とする請求項１又は２記載のスイッチ装置。
【請求項４】
前記リブは、前記ベース部材の内側の隅部に設けられることを特徴とする請求項３記載のスイッチ装置。
【請求項５】
前記リブは、当該リブの延伸方向と交差する断面において角部を有することを特徴とする請求項３のスイッチ装置。
【請求項６】
前記ハウジングは発光部を内包し、前記発光部は前記開口部を介して前記操作ノブと対向することを特徴とする請求項１又は２記載のスイッチ装置。
【請求項７】
前記付加部材は加飾部材であることを特徴とする請求項１又は２記載のスイッチ装置。
【請求項８】
前記付加部材は触感付与部材であることを特徴とする請求項１又は２記載のスイッチ装置。
【発明の詳細な説明】
【技術分野】
【０００１】
本発明は、操作者の指先で揺動操作されるスイッチ装置に関する。
【背景技術】
【０００２】
車両や各種の電子機器において操作者の指先によって揺動操作されるスイッチ装置が用いられている。例えば、図７（Ａ）に示すように、車両用のパワーウィンドウ装置の入力切替を行うためのスイッチ装置７０は、光源７１が実装される基板７２と、該基板７２を収容するとともにスイッチ装置７０の外殻を形成するハウジング７３と、上下方向に揺動操作可能に設けられた操作ノブ７４と、を備える（例えば、特許文献１参照。）。
【０００３】
スイッチ装置７０では、操作者が、操作ノブ７４の前方側面に設けられた凹状の指掛かり部７５へ指先を掛けて操作ノブ７４を揺動させることにより、基板７２に設けられたスイッチユニット（図示しない）の駆動部材へ入力操作が伝達され、スイッチユニットは入力操作を電気信号へ変換する。変換された電気信号はＥＣＵへ伝達され、ＥＣＵはパワーウィンドウ装置へ操作信号を伝達する。
【０００４】
スイッチ装置７０は、通常、車両のドアの内側の肘掛け部に設けられるが、操作ノブ７４には美観を向上させるための、例えば、金属メッキ処理が施された加飾部材７６が、操作ノブ７４の外形を構成する合成樹脂の成形体からなるベース部材７７に設けられる。
【０００５】
ベース部材７７は下部が開口する筐体からなり、ハウジング７３の上面の長方形状の開口部７８を囲むように立設される被水壁７９を収容する。なお、ベース部材７７は被水壁７９の上部に設けられた軸８０によって回転可能に軸支され、これにより、操作ノブ７４の揺動操作が実現される。
【０００６】
そして、加飾部材７６は人目に付きやすいように、ベース部材７７の前方側上部に配置される。加飾部材７６は二股形状の挿入部８１を有し、この挿入部８１をベース部材７７の前方側上部に開設された貫通穴８２へ挿入してベース部材７７の指掛かり部７５の内側面へ係止させることにより、加飾部材７６がベース部材７７へ取り付けられる。
【０００７】
ところで、上述したように、スイッチ装置７０がドアの内側の肘掛け部に設けられる場合、雨水がスイッチ装置７０へ降りかかることがある。このとき、雨水が、加飾部材７６の挿入部８１を伝ってベース部材７７の内側へ浸入し、さらに、ハウジング７３の開口部７８を介して基板７２に設けられたスイッチユニットへ滴下する虞がある。
【０００８】
これに対応し、特許文献１のスイッチ装置７０では、上方からの平面視において挿入部８１を、開口部７８を囲む被水壁７９の外側と指掛かり部７５の間隙Ｓに配置することにより、挿入部８１を伝う雨水を積極的に被水壁７９の外側へ導き、もって、雨水が開口部７８を介してハウジング７３の内部へ浸入するのを防止する。
【先行技術文献】
【特許文献】
【０００９】
【特許文献１】特開２０１６−１３４３５０号公報
【発明の概要】
【発明が解決しようとする課題】
【００１０】
しかしながら、特許文献１のスイッチ装置７０では、被水壁７９の外側と操作ノブ７４（ベース部材７７）の指掛かり部７５との間の間隙Ｓに加飾部材７６の挿入部８１を配置するため、指掛かり部７５の後方への凹み代を大きく採ることができず、指掛かり部７５へ操作者の指先をしっかりと掛けるのが困難であり、結果として、操作ノブ７４の操作性が悪化する虞がある。
【００１１】
そこで、操作ノブ７４の操作性を向上させるために、指掛かり部７５の後方への凹み代を大きくすると、図７（Ｂ）に示すように、指掛かり部７５と被水壁７９の外側の間に挿入部８１を配置するための十分な間隙Ｓを確保できない。その結果、挿入部８１を短くせざるを得ないが、この場合、挿入部８１の指掛かり部７５の内側面への係止代を大きく採ることができないため、加飾部材７６のベース部材７７への取り付け強度を確保することができず、操作ノブ７４の揺動操作中に加飾部材７６が外れる虞がある。
【００１２】
また、指掛かり部７５の後方への凹み代を大きくしたまま、加飾部材７６のベース部材７７への取り付け強度を確保するために、指掛かり部７５と被水壁７９の外側の間に十分な間隙Ｓを確保しようとした場合、図７（Ｃ）に示すように、被水壁７９を後退させる必要があり、結果として、開口部７８が縮小される。ここで、基板７２の光源７１は開口部７８を介して操作ノブ７４（ベース部材７７）の上面に設けられた透光性部材８３を照射するが、開口部７８が縮小されると、光源７１の配置の自由度、ひいては、透光性部材８３の配置の自由度が低下し、スイッチ装置７０のデザイン性が低下する虞がある。
【００１３】
本発明の目的は、操作性を確保しつつ、付加部材の取り付け強度を確保することができるスイッチ装置を提供することにある。
【課題を解決するための手段】
【００１４】
上記目的を達成するために、本発明のスイッチ装置は、電気的接点を有するスイッチユニットへ入力操作を伝達する操作ノブと、前記スイッチユニットを収容するハウジングとを備え、前記ハウジングは、前記スイッチユニットと前記操作ノブを対向させる開口部と、該開口部を囲むように立設される被水壁とを有し、前記操作ノブは、一端が開口する筐体状のベース部材と、前記ベース部材に取り付けられる付加部材とを有し、前記付加部材は突出する少なくとも１つの挿入部を有し、前記ベース部材は、前記挿入部が挿入される貫通穴を有するとともに、前記被水壁を収容し、前記挿入部は前記被水壁の立設方向と交差するように延在し、且つ前記被水壁の立設方向に沿って眺めた場合、前記挿入部と前記開口部が離れていることを特徴とする。
【発明の効果】
【００１５】
本発明によれば、付加部材の挿入部は被水壁の立設方向と交差するように延在するため、挿入部が操作ノブの指掛かり部と被水壁の外側の間に配置されることがない。これにより、指掛かり部と被水壁の外側の間に十分な間隙を確保する必要を無くすことができ、もって、指掛かり部の凹みを大きくすることができる。その結果、操作ノブの操作性を確保することができる。また、挿入部の指掛かり部との干渉を考慮する必要を無くすことができるため、挿入部を短くする必要を無くすことができ、もって、挿入部とベース部材の内側面との係止代を大きく採ることができる。これにより、付加部材の取り付け強度を確保することができる。
【図面の簡単な説明】
【００１６】
【図１】本発明の実施の形態に係るスイッチ装置の斜視図である。
【図２】本発明の実施の形態に係るスイッチ装置の側面図である。
【図３】本発明の実施の形態に係るスイッチ装置の平面図である。
【図４】本発明の実施の形態に係るスイッチ装置の断面図である。
【図５】図１や図４における操作ノブの加飾部材の構成を概略的に示す斜視図である。
【図６】図１乃至図４における操作ノブのベース部材の構成を概略的に示す斜視図である。
【図７】従来のスイッチ装置の断面図である。
【発明を実施するための形態】
【００１７】
以下、本発明の実施の形態について図面を参照しながら詳細に説明する。
【００１８】
図１は、本発明の実施の形態に係るスイッチ装置の斜視図であり、図２は、本実施の形態に係るスイッチ装置の側面図であり、図３は、本実施の形態に係るスイッチ装置の平面図である。また、図４は、本実施の形態に係るスイッチ装置の断面図であり、図４（Ａ）は縦断面を示し、図４（Ｂ）は図４（Ａ）における線IV−IVに沿う断面を示す。また、各図において、説明を容易にするために、図中のＸ１方向を右方、同Ｘ２方向を左方、同Ｙ１方向を前方、同Ｙ２方向を後方、同Ｚ１方向を上方、同Ｚ２方向を下方と称する。
【００１９】
図１乃至図４において、車両用のパワーウィンドウ装置の入力切替を行うためのスイッチ装置１０は、ＬＥＤ光源１１（発光部）及び電気的接点を有するスイッチユニット（図示しない）が実装される基板１２と、スイッチ装置１０の外形の大部分を構成する筐体状のハウジング１３と、揺動操作可能に設けられた操作ノブ１４と、を備える。ハウジング１３は基板１２を収容し、操作ノブ１４はハウジング１３の上方に配置される。なお、スイッチユニットとしては、通常のレバー等の駆動部材を有するユニット形態を呈するものに限られず、固定接点と可動接点のみで構成されてユニット形態を呈さないものや、ラバーコンタクトを有するものも含む。
【００２０】
ハウジング１３は、上面に開設された長方形状の開口部１５を有する。Ｚ２方向に沿ってハウジング１３を眺めた場合、開口部１５は基板１２のＬＥＤ光源１１やスイッチユニットを露出させる。また、ハウジング１３は、上面において開口部１５を囲むように上方へ向けて立設される被水壁１６を有する。被水壁１６の上部には左右方向へ突出する円柱状の回転軸１７が設けられ、回転軸１７は操作ノブ１４を軸支する。これにより、操作ノブ１４は回転軸１７を中心に上下方向に関して揺動可能に被水壁１６（ハウジング１３）へ取り付けられる。
【００２１】
操作ノブ１４は、該操作ノブ１４の外形の大部分を構成するベース部材１８と、該ベース部材１８に取り付けられる加飾部材１９（付加部材）とによって構成される。ベース部材１８は合成樹脂の成形体からなる下部が開口する筐体からなり、加飾部材１９は、美観を向上させるための、例えば、金属メッキ処理が施された合成樹脂の成形体からなり、人目に付きやすいように、ベース部材１８の前方側上部に配置される。
【００２２】
操作ノブ１４のベース部材１８は、被水壁１６を収容するようにハウジング１３の上方に配置される。したがって、ベース部材１８は開口部１５を介してＬＥＤ光源１１やスイッチユニットと対向する。また、ベース部材１８は、当該ベース部材１８の上面を貫通するように配置された透光性部材２０を有する。Ｚ２方向に沿って操作ノブ１４を眺めた場合、透光性部材２０は開口部１５がハウジング１３から露出させるＬＥＤ光源１１とほぼ正対するように配置される。これにより、ＬＥＤ光源１１からの照射された光が透光性部材２０を透過することにより、あたかも透光性部材２０自体が発光するように見せかけることができ、例えば、夜間において、操作者に操作ノブ１４の位置を知らせることができる。なお、透光性部材２０に所望の色を着色し、又はＬＥＤ光源１１の発光色を所望の色へ変更することにより、スイッチ装置１０の意匠性を向上することができる。また、透光性部材２０の形状を工夫することにより、スイッチ装置１０の意匠性をより向上することができ、さらに、例えば、透光性部材２０の形状を所望の文字や記号に合わせることにより、操作者へスイッチ装置１０の機能を伝達することができる。
【００２３】
スイッチ装置１０では、操作ノブ１４が上下方向に関して揺動するのみなので、透光性部材２０は左右方向や前後方向に大きく移動することがない。その結果、操作ノブ１４が揺動しても、透光性部材２０はＬＥＤ光源１１とほぼ正対したままであり、透光性部材２０を透過する光量は大きく変化せず、スイッチ装置１０を眺める操作者に違和感を与えない。
【００２４】
また、操作ノブ１４のベース部材１８は、前方側面において後方に湾曲する凹状の指掛かり部２１を有する。スイッチ装置１０では、操作者が、指掛かり部２１へ指先を掛けて操作ノブ１４を揺動させることにより、基板１２に設けられたスイッチユニット（図示しない）の駆動部材へ入力操作が伝達され、スイッチユニットは入力操作を電気信号へ変換する。変換された電気信号はＥＣＵへ伝達され、ＥＣＵはパワーウィンドウ装置へ操作信号を伝達する。
【００２５】
図５は、図１や図４における操作ノブの加飾部材の構成を概略的に示す斜視図であり、図５（Ａ）は、加飾部材を前方斜め上方から眺めた場合を示し、図５（Ｂ）は、加飾部材を後方斜め下方から眺めた場合を示す。また、図６は、図１乃至図４における操作ノブのベース部材の構成を概略的に示す斜視図であり、図６（Ａ）は、ベース部材を前方斜め上方から眺めた場合を示し、図６（Ｂ）は、ベース部材を後方斜め下方から眺めた場合を示し、図６（Ｃ）はベース部材の隅部におけるＸ１方向及びＹ１方向に沿う部分断面を示す。
【００２６】
まず、図５において、加飾部材１９は、左右方向に延伸する略柱状部材からなる基部２２と、該基部２２の左右方向に関する両端から後方へ向けて突出する一対の棒状の挿入部２３とを有する。また、図６において、ベース部材１８は、前方側上部に設けられた凹みである係合凹部２４と、該係合凹部２４からベース部材１８の内部へ向けて貫通する２つの貫通穴２５とを有する。係合凹部２４は左右方向に延伸する凹みであり、その大きさは加飾部材１９の基部２２よりもやや大きく、係合凹部２４に基部２２が嵌め込まれることにより、ベース部材１８へ加飾部材１９が取り付けられる。また、係合凹部２４に基部２２が嵌め込まれる際、各貫通穴２５には、各挿入部２３が挿入される。各挿入部２３の後方先端はフック状に成形され、貫通穴２５へ挿入された際、ベース部材１８の内側に設けられた係止部（図示しない）に当該先端が係止される。
【００２７】
また、ベース部材１８では、加飾部材１９が取り付けられた際、各貫通穴２５に挿入された各挿入部２３は、被水壁１６の立設方向（本実施の形態では、Ｚ１方向）と交差するように、例えば、Ｚ１方向と直交するように、延在する（図４（Ａ））。このとき、Ｚ２方向に沿って眺めると、各挿入部２３は開口部１５を覆わず、各挿入部２３と開口部１５は離れているが、各挿入部２３の少なくとも一部が被水壁１６と重なる（図４（Ｂ））。
【００２８】
なお、各挿入部２３は被水壁１６の立設方向と交差するように延在すると説明したが、本実施の形態において、換言すれば、各挿入部２３はベース部材１８の上面に沿って延在すると言ってもよく、若しくは、前後方向に沿って配置される基板１２と略平行に延在すると言ってもよい。また、各挿入部２３の延在方向はＺ１方向と直交する方向に限られず、少なくとも被水壁１６の前方外側と指掛かり部２１の間隙Ｓへ向かう方向でなければよい。
【００２９】
スイッチ装置１０が車両のドアの内側の肘掛け部に設けられると、雨水に被水して雨水が各貫通穴２５と各挿入部２３の隙間を介し、さらに各挿入部２３を伝ってベース部材１８の内部へ浸入することがあるが、上述したように、スイッチ装置１０では、Ｚ２方向に沿って眺めるときに各挿入部２３と開口部１５が離れているため、各挿入部２３を伝う雨水は開口部１５へ向けて滴下することがない。これにより、ハウジング１３に収容されたＬＥＤ光源１１やスイッチユニットが開口部１５を介してハウジング１３の内部へ浸入した雨水によって被水するのを防止することができる。また、各挿入部２３は開口部１５を覆わないため、ＬＥＤ光源１１が照射する光を遮ることがなく、もって、透光性部材２０において所望の発光量を確保することができる。
【００３０】
さらに、図６（Ｂ）に示すように、ベース部材１８は内側の隅部において貫通穴２５からベース部材１８の開口（下方）へ向けて延伸して配置されるガイドリブ２６を有する。ガイドリブ２６はベース部材１８の側壁の内側に沿うように配置され、Ｘ１方向及びＹ１方向に沿う断面において角部２７を有し（図６（Ｃ））、貫通穴２５から下方へ向けてガイドリブ２６の断面は縮小する。すなわち、ガイドリブ２６は下方へ向けて縮小する角錐形状を呈する。
【００３１】
各貫通穴２５と各挿入部２３の隙間を介してベース部材１８の内部へ浸入した雨水のうち挿入部２３へ伝わらない雨水はガイドリブ２６を伝ってベース部材１８の開口（下方）へ導かれる。特に、水は先細り形状に集中しやすいので、上記雨水はガイドリブ２６の角部２７に集中し、結果として、雨水をガイドリブ２６によって確実にベース部材１８の開口（下方）へ導くことができる。これによっても、雨水が開口部１５へ滴下するのを確実に防止することができる。
【００３２】
上述したスイッチ装置１０によれば、加飾部材１９の各挿入部２３は被水壁１６の立設方向（Ｚ１方向）と交差するように延在するため、各挿入部２３が操作ノブ１４の指掛かり部２１と被水壁１６の外側の間に配置されることがない。これにより、指掛かり部２１と被水壁１６の外側の間に十分な間隙Ｓを確保する必要を無くすことができ、もって、指掛かり部２１の凹みを大きくすることができる。その結果、操作ノブ１４の操作性を確保することができる。また、各挿入部２３の指掛かり部２１との干渉を考慮する必要を無くすことができるため、各挿入部２３を短くする必要を無くすことができ、もって、各挿入部２３とベース部材１８の内側面との係止代を大きく採ることができる。これにより、加飾部材１９の取り付け強度を確保することができ、操作ノブ１４を揺動操作しても加飾部材１９が外れるのを防止することができる。
【００３３】
また、スイッチ装置１０では、Ｚ２方向に沿って眺めるときに各挿入部２３が部分的に被水壁１６と重なるため、各挿入部２３との干渉を避けるためにベース部材１８を左右方向に関して大きくする必要を無くすことができ、もって、スイッチ装置１０を小型化することができる。
【００３４】
さらに、スイッチ装置１０では、ガイドリブ２６がベース部材１８の内側の隅部においてベース部材１８の側壁に沿うように配置されるため、ベース部材１８の剛性を向上させることができる。その結果、操作ノブ１４の揺動操作で過大な力がベース部材１８にかかったとしても、ベース部材１８が変形、破損するのを防止することができる。
【００３５】
以上、本発明の好ましい実施の形態について説明したが、本発明は上述した各実施の形態に限定されず、その要旨の範囲内で種々の変形及び変更が可能である。
【００３６】
例えば、加飾部材１９は一対の挿入部２３を有するが、加飾部材１９のベース部材１８への取り付け強度を確保できるのであれば、加飾部材１９は１つの挿入部２３のみを有し、当該１つの挿入部２３によってベース部材１８の内側面と係止されてもよい。
【００３７】
また、ベース部材１８には加飾部材１９の代わりに、操作者の指先へ好ましい触感を付与する触感付与部材がベース部材１８の前方側上部に配置されてもよい。この場合、触感付与部材も、加飾部材１９と同様に、一対の挿入部を有し、これらの挿入部がベース部材１８の各貫通穴２５へ挿入されることにより、触感付与部材がベース部材１８へ取り付けられる。なお、触感付与部材は、例えば、軟質樹脂や硬質ゴムによって構成される。
【００３８】
さらに、スイッチ装置１０では、Ｚ２方向に沿って眺めるときに各挿入部２３が部分的に被水壁１６と重なるが、スイッチ装置１０の小型化の必要性が高くない場合、各挿入部２３の左右方向の間隔を広げ、各挿入部２３が被水壁１６と重ならないようにしてもよい。これにより、各挿入部２３を伝う雨水が被水壁１６で囲まれた開口部１５へ滴下するのを確実に防止することができる。
【００３９】
また、加飾部材１９は、金属メッキ処理が施された合成樹脂の成形体によって構成されたが、着色樹脂の成形体、塗料が塗布された合成樹脂や金属の成形体、若しくは、金属のみ、例えば、アルミニウムのみから構成されてもよい。さらに、ベース部材１８の指掛かり部２１は後方に湾曲して凹むが、指先に十分に掛かるのであれば、指掛かり部２１において複数の斜面によって凹みが形成されてもよい。さらに、被水壁１６の回転軸１７は円柱状を呈するが、操作ノブ１４を軸支可能であれば、円錐形状に成形されてもよい。
【００４０】
また、上述した実施の形態では、スイッチユニットがＥＣＵを介してパワーウィンドウ装置へ操作信号を伝達したが、スイッチユニットがパワーウィンドウ装置へ操作信号を直接伝達してもよい。
【００４１】
なお、上述した実施の形態では、本発明が車両用のパワーウィンドウ装置の入力切替を行うためのスイッチ装置に適用される場合について説明したが、本発明は、例えば、車両用のパーキングブレーキ装置の解除操作を行うためのスイッチ装置、サンルーフやルーフそのものの開閉操作を行うためのルーフスイッチ、トランクの開操作を行うためのトランクオープナーやシフト操作を行うためのシフトスイッチに適用されてもよい。また、本発明は、車両以外の電子機器のスイッチ装置に適用されてもよい。
【００４２】
さらに、スイッチ装置１０はＬＥＤ光源１１と透光性部材２０を有し、透光性部材２０を透過する光によって操作者に操作ノブ１４の位置を知らせたが、例えば、ベース部材１８を黒色塗料が塗布された白色樹脂で構成した後、レーザー加工によって黒色塗料を部分的に除去することによって所定の記号、文字を形成し、これらの記号や文字の部分の白色樹脂に光を透過させることにより、操作者に操作ノブ１４の位置を知らせてもよく、また、透光性部材２０の代わりに操作ノブ１４へ蛍光塗料によって所定の記号、文字を描き、これらの記号や文字を発光させることにより、夜間において操作者に操作ノブ１４の位置を知らせてもよい。この場合、ＬＥＤ光源１１や透光性部材２０を設ける必要を無くすことができる。
【符号の説明】
【００４３】
１０  スイッチ装置
１１  ＬＥＤ光源
１３  ハウジング
１４  操作ノブ
１５  開口部
１６  被水壁
１８  ベース部材
１９  加飾部材
２３  挿入部
２５  貫通穴
２６  ガイドリブ
【図１】
2020145109.tif 000003
【図２】
2020145109.tif 000004
【図３】
2020145109.tif 000005
【図４】
2020145109.tif 000006
【図５】
2020145109.tif 000007
【図６】
2020145109.tif 000008
【図７】
2020145109.tif 000009